(57)【特許請求の範囲】
【請求項１】
コンクリート壁に埋設するボックスをコンクリートパネル設置後コンクリート打設前にコンクリートパネルに取付ける工具において、前記ボックスの底部に取付け、取外し自在に固定する湾曲部材と、前記コンクリートパネルに設けられた貫通穴から差し込んで前記湾曲部材に係合可能なフック部を先端に有する棒部材と、前記ボックスを該コンクリートパネルの裏面に当接させて固定する固定手段とを具備し、前記湾曲部材の係合部分に略矩形形状の断面を有する溝を設けると共に該棒部材のフック部に該溝と嵌合可能な嵌合部を形成して該ボックスの取付角度を調整可能に構成したことを特徴とするボックス取付け矯正器。
【請求項２】
コンクリート壁に埋設するボックスをコンクリートパネル設置後コンクリート打設前にコンクリートパネルに取付ける工具において、前記ボックスの底部に取付け、取外し自在に固定する湾曲部材と、前記コンクリートパネルに設けられた貫通穴から差し込んで前記湾曲部材に係合可能なフック部を先端に有する棒部材と、前記ボックスを該コンクリートパネルの裏面に当接させて固定する固定手段とを具備し、前記フック部はＵ字形状、Ｌ字形状等の係合に好適な形状で形成され、該フック部の内側に設けられた嵌合部の中心が前記棒部材の中心線上に位置するように構成し、前記湾曲部材の係合部分に溝を設けると共に該棒部材のフック部に該溝と嵌合可能な嵌合部を形成して該ボックスの取付角度を調整可能に構成したことを特徴とするボックス取付け矯正器。
【請求項３】
コンクリート壁に埋設するボックスをコンクリートパネル設置後コンクリート打設前にコンクリートパネルに取付ける工具において、前記ボックスの底部に取付け、取外し自在に固定する湾曲部材と、前記コンクリートパネルに設けられた貫通穴から差し込んで前記湾曲部材に係合可能なフック部を先端に有すると共に中央に角形柱状部を有し、後端にねじ部を有する棒部材と、前記ボックスを該コンクリートパネルの裏面に当接させて固定する固定手段とを具備し、前記湾曲部材の係合部分に溝を設けると共に該棒部材のフック部に該溝と嵌合可能な嵌合部を形成して該ボックスの取付角度を調整可能に構成し、前記固定手段は、前記コンクリートパネルの表面に当接する板状部と該板状部に固設された筒状部から構成され、該板状部に前記棒部材の角形柱状部と嵌合する嵌合穴を形成し、該筒状部に前記棒部材を挿入して前記ネジ部にナットを螺合させ、前記ボックスを該コンクリートパネルに固定可能にしたことを特徴とするボックス取付け矯正器。
【請求項４】
前記棒部材の角形柱状部を４角形の柱状で構成したことを特徴とする請求項３に記載のボックス取付け矯正器。
【請求項５】
前記固定手段の板状部の周縁又は周隅に突起状の爪を設けて前記コンクリートパネルの表面に係止させて回転防止を可能にしたことを特徴とする請求項３又は請求項４の何れか１に記載のボックス取付け矯正器。
【請求項６】
前記固定手段の筒状部は、外側面を角形の筒状で形成したことを特徴とする請求項３〜請求項５の何れか１に記載のボックス取付け矯正器。
【請求項７】
前記コンクリートパネルに設けられた貫通穴は直径が略１２ミリメートルであることを特徴とする請求項１〜請求項６の何れか１に記載のボックス取付け矯正器。
【請求項８】
前記湾曲部材はＵ字型、コ字型、Ｖ字型等の湾曲形状で、両端をネジで前記ボックスの底に固定可能に設けたことを特徴とする請求項１〜請求項７の何れか１に記載のボックス取付け矯正器。
【請求項９】
前記棒部材の長さは、塗代カバーを取付けたボックスと取付けないボックスの双方に対してボックスの取付けを可能な長さに構成したことを特徴とする請求項１〜請求項８の何れか１に記載のボックス取付け矯正器。
【発明の詳細な説明】
【０００１】
【発明の属する技術分野】
この発明は、コンクリート壁に埋設するためのボックスの取付け姿勢を矯正し、コンクリートパネルに固定するために使用する工具又は装置の技術分野に属する。
【０００２】
【従来の技術】
建物の壁面にコンセントやスイッチ等の部品を設置する場合にその壁体にボックスを埋設しておき、配線の端部をボックス内に導き、そこでコンセント等の端子に接続することが行われる。ボックスをコンクリート壁体に埋設する工事は、コンクリート打設前に予めボックスをコンクリートパネルに取付けてからコンクリート材料を型枠内に流し込み、コンクリートが乾燥、固定するという順序で工事が行われる。しかし、コンクリート型枠内にボックスを配置しても、コンクリートを流し込むための型枠用外側パネル（コンクリートパネル又は略してコンクリートパネルとも云う）で覆われるためにボックスの位置や取付角度が外部から正しいかどうか判断できないし、また取付角度が偏っている場合にもこれを矯正することができない。そこで、従来からボックスの取付位置、姿勢の偏りを直すための工具や方法が工夫されてきた。
【０００３】
図８及び図９は従来行われていた方法の１例を説明するための図である。図８を使用して、ボックス１０１をコンクリとパネル１００に固定する作業順を説明する。まず、ボックス１０１の底に中央に雌ねじを切った板材１０２をビス等で固定した後に、ボックス１０１の開口側に中央に４角形の開口１０４を有するカバー１０３（塗代カバーとは異なる）を取付ける。次に、カバー１０３を取付けたボックス１０１を鉄筋等に仮固定してからコンクリートパネル１００を設置する。
【０００４】
コンクリートパネル設置後に、まず、ドリルでコンクリートパネルの所定位置に穴１０５を開ける。この穴１０５からネジ棒１０７を差し込んで板材１０２の雌ねじ部と螺合させてネジ棒１０７を取付ける。ネジ棒１０７によりボックス１０１をコンクリートパネルに引き寄せてから、ネジ棒１０７をガイドにして矯正工具１０８の角筒の先端１０８ａを穴１０５から挿入して開口１０４と嵌合させる。嵌合した状態で、図９（Ａ）に示すようにペンチ等の工具を使用してボックス１０１の取付角度を矯正する。取付角度を矯正後にナット１０９でコンクリートパネル１００に固定する。
【０００５】
次に、コンクリート打設して、コンクリートが乾燥した後に、図９（Ｂ）に示すようにナット１０９、矯正工具１０８、ネジ棒１０７を取り外す。これらを取り外した後に穴１０５をプラスチック等の材質からなるブロック体で埋め戻す。最後に、所定の建設作業を終了した後にコンクリートパネル１００が取外される。コンクリートパネル１００を取外した後にカバー１０３を取外し、コンセントやスイッチ等の接続及び取付作業を行う。
【０００６】
上記従来装置においては、ボックス１０１の仮固定がしっかりと固定していない場合（例えば、ぐらついている場合）にはネジ棒１０７を板材１０７の雌ねじに螺合する作業が煩雑になるという問題点がある。更に、矯正工具１０８の角筒の先端１０８ａを穴１０５から挿入して開口１０４と嵌合させるために穴１０５の口径が大きくなり、そのために穴１０５の埋め戻し作業が必要になるという問題点があった。また、開口１０４を有するカバー１０３は塗代カバーと別個に必要とされるカバーであって、塗代カバーをボックス１０１に取り付けてコンクリート中に埋設する場合にはカバー１０３は塗代カバーの表面に取り付けられる。このために本来不必要なカバーを必要とし、そのために取付作業、取外し作業が追加され、全体の作業も煩雑になり問題があった。特に多数個のボックスを取付ける場合には作業が煩雑になると共に作業時間が長くなり、これらの問題点がクローズアップされ、重大な課題であった。
【０００７】
また、特許公開公報、平１０−３４１５１５号にはボックスの取付角度の調整を必要としない設置方法が開示されている。この公報記載の技術は塗代カバー根本部分とボックスとの間に回転板を回転自在に設けたことを特徴としているもので、ボックスの取付角度が偏っていても回転板を廻して電気コンセント等の取付板を正しい位置に固定可能にするものである。この方法ではボックスはコンクリート壁中に埋設されるものであるから、コンセント等が正しく取付けられていれば実際には問題が生じないとする考え方に基づくものである。しかしながら、ボックスが偏って取付けられることは問題にしないことにしても、回転板を設けることによってボックスの構造が複雑になり、ボックスがコスト高になるという問題点がある。
【０００８】
【発明が解決しようとする課題】
以上に説明したように、従来技術ではボックスの取付作業が煩雑であったり、ボックスの構造が複雑でコスト高になるという問題点があった。本発明はこのような事情の下でなされた発明で、ボックスを複雑な構造にせずに、かつ簡単な作業で正しい取付を可能にした工具等の装置を提供することを課題とする。
【０００９】
【課題を解決するための手段】
上記課題を解決するために本発明は以下の手段を採用している。即ち、請求項１記載の発明は、コンクリート壁に埋設するボックスをコンクリートパネル設置後コンクリート打設前にコンクリートパネルに取付ける工具において、前記ボックスの底部に取付け、取外し自在に固定する湾曲部材と、前記コンクリートパネルに設けられた貫通穴から差し込んで前記湾曲部材に係合可能なフック部を先端に有する棒部材と、前記ボックスを該コンクリートパネルの裏面に当接させて固定する固定手段とを具備し、前記湾曲部材の係合部分に略矩形形状の断面を有する溝を設けると共に該棒部材のフック部に該溝と嵌合可能な嵌合部を形成して該ボックスの取付角度を調整可能に構成したことを特徴としている。
【００１０】
請求項２記載の発明は、コンクリート壁に埋設するボックスをコンクリートパネル設置後コンクリート打設前にコンクリートパネルに取付ける工具において、前記ボックスの底部に取付け、取外し自在に固定する湾曲部材と、前記コンクリートパネルに設けられた貫通穴から差し込んで前記湾曲部材に係合可能なフック部を先端に有する棒部材と、前記ボックスを該コンクリートパネルの裏面に当接させて固定する固定手段とを具備し、前記フック部はＵ字形状、Ｌ字形状等の係合に好適な形状で形成され、該フック部の内側に設けられた嵌合部の中心が前記棒部材の中心線上に位置するように構成し、前記湾曲部材の係合部分に溝を設けると共に該棒部材のフック部に該溝と嵌合可能な嵌合部を形成して該ボックスの取付角度を調整可能に構成したことを特徴としている。
【００１１】
請求項３に記載の発明は、コンクリート壁に埋設するボックスをコンクリートパネル設置後コンクリート打設前にコンクリートパネルに取付ける工具において、前記ボックスの底部に取付け、取外し自在に固定する湾曲部材と、前記コンクリートパネルに設けられた貫通穴から差し込んで前記湾曲部材に係合可能なフック部を先端に有すると共に中央に角形柱状部を有し、後端にねじ部を有する棒部材と、前記ボックスを該コンクリートパネルの裏面に当接させて固定する固定手段とを具備し、前記湾曲部材の係合部分に溝を設けると共に該棒部材のフック部に該溝と嵌合可能な嵌合部を形成して該ボックスの取付角度を調整可能に構成し、前記固定手段は、前記コンクリートパネルの表面に当接する板状部と該板状部に固設された筒状部から構成され、該板状部に前記棒部材の角形柱状部と嵌合する嵌合穴を形成し、該筒状部に前記棒部材を挿入して前記ネジ部にナットを螺合させ、前記ボックスを該コンクリートパネルに固定可能にしたことを特徴としている。
【００１２】
請求項４に記載の発明は、請求項３に記載の発明において、前記棒部材の角形柱状部を４角形の柱状で構成したことを特徴としている。
【００１３】
請求項５に記載の発明は、請求項３又は請求項４に記載の発明において、前記固定手段の板状部の周縁又は周隅に突起状の爪を設けて前記コンクリートパネルの表面に係止させて回転防止を可能にしたことを特徴としている。
【００１４】
請求項６に記載の発明は、請求項３〜請求項５に記載の発明において、前記固定手段の筒状部は、外側面を角形の筒状で形成したことを特徴としている。
【００１５】
請求項７に記載の発明は、請求項１〜請求項６に記載の発明において、前記コンクリートパネルに設けられた貫通穴は直径が略１２ミリメートルであることを特徴としている。
【００１６】
請求項８に記載の発明は、請求項１〜請求項７に記載の発明において、前記湾曲部材はＵ字型、コ字型、Ｖ字型等の湾曲形状で、両端をネジで前記ボックスの底に固定可能に設けたことを特徴としている。
【００１７】
請求項９に記載の発明は、請求項１〜請求項８に記載の発明において、前記棒部材の長さは、塗代カバーを取付けたボックスと取付けないボックスの双方に対してボックスの取付けを可能な長さに構成したことを特徴としている。
【００１９】
【発明の実施形態】
以下、図面を参照してこの発明の実施形態及び実施例について説明する。図１は塗代カバーなしのボックスを取付けた状態を示す図である。図２は本実施形態の湾曲部材を説明する図である。図３は本実施形態の棒部材を説明する図である。図４は本実施形態の固定手段を説明する図である。図５及び図６は本実施形態の取付操作方法を説明する図である。図７は塗代カバー付きのボックスを取付けた状態を示す図である。
【００２０】
図１は断面図を示している。図１において、コンクリートパネル１０は型枠（図示省略）を形成するパネルで、左側空間１１はコンクリートを打設する空間である。ボックス１２は塗代カバーを取付けていないボックスで、開口面がコンクリートパネル１０の内側面に当接して取付けられる。なお、塗代カバーを取付けたボックスについては後述する。ボックス１２の底面には湾曲部材１３がネジ１４によって固定される。穴１７はコンクリートパネル１０にドリル等の手段によって開けられた穴で、直径が略１２ミリメートルの穴でボックス１２を取付ける位置に設けられる。棒部材１８は先端に湾曲部材１３と係合するフック部２６を有し、後端にネジ部２８を有している。固定手段２０は先端の板状部がコンクリートパネル表面と当接し、筒状部の後端がナット２１，座金２２により固定される。
【００２１】
以下に各部分について詳細に説明する。ボックス１２は従来のボックスと同様で樹脂製のボックスと金属製のボックスがあり、本実施形態は両方に適用できる。図２は湾曲部材１３を示す。湾曲部材１３は金属製で構成するのが望ましい。図２（Ａ）は底面図、図２（Ｂ）は側面図、図２（Ｃ）は上面図である。湾曲部材１３は湾曲部１３ａとその両側の平坦固定部１３ｂとからなり、湾曲部１３ａの略中央内側には棒部材１８のフック部と嵌合する嵌合溝２３が設けられている。嵌合溝２３は断面が略矩形状をした直線の溝で構成される。しかし、嵌合を容易にするために開放縁２３ａに傾斜を設けるか、或いは傾斜角の小さい台形にしてもよい。嵌合溝２３はフック部に設けられる嵌合部（後述）と嵌合して捻りモーメントを伝達する機能を有するものであるから、嵌合が容易であると共にモーメントの伝達時には外れにくい形状に構成するのが好ましい。
【００２２】
また、湾曲部１３ａの形状はＵ字型、コ字型、Ｖ字等の形状にしてもよい。平坦固定部１３にはネジ１４のネジ穴２４が設けられている。なお、湾曲部材１３はネジ１４とナット１５で固定されているが、ナット１５の代わりにボックス１２の底部に雌ねじ穴（図示省略）を設けてもよい。また、ナット１５はネジ１４を外すときに回転しないように溶接等で固定してもよい。
【００２３】
図３は棒部材１８を示す。図３（Ａ）は正面図、図３（Ｂ）は側面図、図３（Ｃ）は右側から見た平面図を示す。棒部材１８は先端にフック部２６が設けられており、中央部には角形柱状部２７が、後端にはネジ部２８が設けられている。フック部２６は湾曲部材１３の湾曲部と係合してボックス１２をコンクリートパネル１０の方に引き寄せると共に、フック部２６の内側に設けられている嵌合部２６ａが嵌合溝２３と嵌合してボックス１２をボックスの中心軸回りに回転させて取付角度を矯正する機能を有するものである。従って、嵌合部２６ａは嵌合溝２３と同形の形状にし、幅を僅かに狭くする。また、嵌合部２６ａの中心は棒部材１８の中心線（角形柱状部２７及びネジ部２８の軸中心線）上に位置するようにする。これによって、ボックス１２が正しい位置及び正しい角度で取付可能になる。フック部２６はＵ字形状、Ｌ字形状等のフックに適した形状にすると共にコンクリートパネル１０に設けられた小径（略１２ミリメートル）の穴１７から挿入可能にするに適した形状にするのが好ましい。
【００２４】
角形柱状部２７は、固定手段２０を組み立てたときに、その板状部３０（図４）に設けられた嵌合穴３１と嵌合し、ナット２１を軽く締めた状態で筒状部３３を廻した時に棒部材１８が軸回りに回転し、従ってボックス１２が回転するように構成されている。角形柱状部２７は製作および回転力を伝える点から正方形の断面とすることが好ましい。例えば、９ミリ程度の角材とする。また、ネジ部２８は、図１に示すように、ナット２１を螺合させて、ボックス１２をコンクリートパネルに当接させた状態で固定するものである。棒部材１８の全長、角形柱状部２７の長さ及びネジ部２８の長さ（寸法）は、図１に示すように塗代カバーなしでボックス１２固定する場合と、図６に示すように塗代カバー４０を装着したボックス１２を固定する場合の双方のケースに利用できる寸法にするのが好ましい。
【００２５】
図４は固定手段２０を示す図で、図４（Ａ）は断面図を示し、図４（Ｂ）上平面図を示す。固定手段２０は板状部３０と筒状部３３から構成されており、筒状部３３は板状部３０の上側面略中央に溶接等で固定されている。また、板状部３０の中央には、前述したように棒部材１８の角形柱状部２７を挿入して嵌合する嵌合穴３１が設けられている。更に板状部３０の周隅を折り曲げてコンクリートパネル１０の表面に固定する爪３２を形成している。筒状部３３は外部表面が６角形の断面を有する筒部材から構成されている。これによって工具で把持して容易に廻すことができる。なお、固定手段２０は板状部３０と筒状部３３を別々に設けて（溶接しないで、分離した状態にして）、板状部３０には角形柱状部２７が挿入できる丸穴を開けて、筒状部３３の一端部（例えば左側端部）に角形柱状部２７に嵌合する嵌合穴を有する板材を固設した構成にしてもよい。
【００２６】
以下に、ボックス１２の固定作業の操作について図５及び図６を利用して説明する。図５に示すように、コンクリートパネル１０を設置する前に予めボックス１２には湾曲部材１３を取り付けておく。次に、ボックス１２を取り付ける大体の位置に針金等を利用して型枠内の鉄筋等に仮固定をしておく。コンクリートパネル１０の設置後に、ドリルでコンクリートパネル１０にボックス１２を取付ける位置に１２ミリメートルの穴１７を開ける。次に棒部材１８のフック部２６を穴１７から挿入する。フック部２６を前後左右に揺動させてフック部の先端をボックス１２に取付けた湾曲部材１３に引掛ける。
【００２７】
引掛かった後手前に引き寄せて、同時にフック部２６の嵌合部２６ａを湾曲部材１３の嵌合溝２３に嵌合させる。ボックス１２の開放縁がコンクリートパネル１０の裏面に接するまで引き寄せる。この状態でボックス１２の中心とコンクリートパネル１０の穴１７の中心は略一致している。しかし、ボックス１２は取付角度（取付ける向き）が傾いている。次に、この状態で固定部材２０の嵌合穴３１に棒部材１８の角形柱状部２７を挿入し、図６に示す状態で、ペンチ等の工具を用いて固定手段２０外筒３３を把持して板状部３３が正しい方向を向くまで廻して調節する。最後に座金２２とナット２１を装着してナット２１を螺合させて締め付ける。これでボックス２０の取付作業は終了する。
【００２８】
次に、打接したコンクリートが乾燥した状態になったときにナット２１を外して固定手段２０及び棒部材１８をコンクリートパネル１０から外す。なお、穴１７は埋め戻す必要がない。穴１７は直径が１２ミリメートルであり、この程度の小さな穴は工事現場で許容されており、通常は埋め戻す必要が無いとされている。また、コンクリートパネル１０を取り除いた後にネジ１４を外して湾曲部材１４をボックス１２から取外し、塗代カバーを取付け、上壁塗りを行う。
【００２９】
図７は塗代カバー４０をボックスに取付けて組み立てた場合を示す。この図からも解るように本実施形態は塗代カバー４０を装着して埋設する場合も、上記で説明した（図１の場合）ように塗代カバーなしで埋設し、後から塗代カバーを取付ける場合も同一の工具を使用して行うことができ、取付作業も同様にできる。
【００３０】
本実施形態は以上に述べた構成及び機能により以下の効果を有する。即ち、本実施形態は構成が非常に簡単であり、従って、作業も簡単になり、製作コストも安価になるという効果が得られる。また、本実施形態は各部分が機能的に関係しており、コンクリートパネルに開ける穴も小さくて済み、且つ正確な位置、角度で取付けることが容易であるという効果も得られる。しかも、ボックス取付後に角度等が容易にずれないという効果が得られる。また、塗代カバーをボックスに取付けた場合も取付けていない場合にも同一の工具を使用できるために必要な工具を少なくすることができるという効果が得られる。
【００３１】
なお、本発明（各請求項に記載の発明）の技術的範囲は上記した実施形態によって限定されるものではない。本発明と実質的に同一の発明、例えば単なる設計変更の発明も本発明の技術的範囲に含まれる。例えば、固定手段２０は板状部３０と筒状部３３を別々に設けて（溶接しないで、分離した状態にして）、板状部３０には角形柱状部２７が挿入できる丸穴を開けて、筒状部３３の一端部（例えば左側端部）に角形柱状部２７に嵌合する嵌合穴を有する板材を固設した構成にしてもよい。
【００３２】
【発明の効果】
以上説明したように、この発明の構成によれば、埋め戻しを必要としない程度の穴を設けて、簡単な工具でボックスを正確に取付けることができ、作業能率が上がるといういう効果が得られる。また、塗代カバーを取付けた場合も取付けない場合にも同一の工具で取付作業が可能になるという効果も得られる。
【図面の簡単な説明】
【図１】  塗代カバーなしのボックスをコンクリートパネルに取付けた状態を示す。
【図２】  （Ａ）、（Ｂ）、（Ｃ）は湾曲部材の下平面図、側面図、上平面図を示す。
【図３】  （Ａ）、（Ｂ）、（Ｃ）は棒部材の正面図、側面図、上平面図を示す。
【図４】  （Ａ）、（Ｂ）は固定部材の側面図、上平面図を示す。
【図５】  取付作業の説明図である。
【図６】  取付作業の説明図の続きである。
【図７】  塗代カバーを付けたボックスをコンクリートパネルに取付けた状態を示す。
【図８】  従来装置の組立分解図を示す。
【図９】  （Ａ）、（Ｂ）は従来装置の取付作業を示す図である。
【符号の説明】
１０        コンクリートパネル
１２        ボックス
１３        湾曲部材
１７        貫通穴
１８        棒部材
２０        固定手段
２３        嵌合溝
２６        フック部
２６ａ      嵌合部
２７        角形柱状部
２８        ネジ部
３０        板状部
３１        嵌合穴
３２        爪
３３      筒状部
４０      塗代カバー
【図１】
0003910077.tif 000002
【図２】
0003910077.tif 000003
【図３】
0003910077.tif 000004
【図４】
0003910077.tif 000005
【図５】
0003910077.tif 000006
【図６】
0003910077.tif 000007
【図７】
0003910077.tif 000008
【図８】
0003910077.tif 000009
【図９】
0003910077.tif 000010